(57)【要約】【課題】安全でしかも比較的短時間に昇降路窓ガラスを清掃可能なエレベータ装置を提供する。【解決手段】エレベータかご１１と、このエレベータかご１１の出入り口に対して背面に設けられた窓ガラス１３と、前記エレベータかご１１の出入り口に対して背面又は側面の下部に、下端が固定され上端が外側に回動可能で、前記エレベータかご１１の背面に設けられ昇降路窓ガラス４２を清掃する際、足場となる清掃足場板１５と、この清掃足場板に出入り可能に開閉する背面パネル１４ａ，１４ｂと、を設けて成る。【選択図】図１
2006282350.tif 000002
【特許請求の範囲】
【請求項１】
エレベータかごと、
前記エレベータかごの出入り口に対して背面又は側面の下部に、下端が固定され上端が外側に回動可能で、前記エレベータかごの背面に設けられ昇降路窓ガラスを清掃する際、足場となる清掃足場板と、
この清掃足場板に出入り可能に開閉するパネルと、
を設けて成ることを特徴とするエレベータ装置。
【請求項２】
前記清掃足場板は、清掃時に開かれる手すり部材を収容してなることを特徴とする請求項１記載のエレベータ装置。
【請求項３】
エレベータかごと、
このエレベータかごの出入り口に対して背面に設けられた窓ガラスと、
前記エレベータかごの出入り口に対して背面下部に、下端が固定され上端が外側に回動可能で、前記エレベータかごの背面に設けられ昇降路窓ガラスを清掃する際足場となる清掃足場板と、
前記窓ガラスが設けられていない部分に前記清掃足場板に出入り可能に設けられ開閉するパネルと、
を設けて成ることを特徴とするエレベータ装置。
【請求項４】
前記清掃足場板は、清掃時に手すりとなる手すり部材を収容してなり、清掃時にこの手すりは開けられた前記パネルと固定されることを特徴とする請求項３記載のエレベータ装置。
【発明の詳細な説明】
【技術分野】
【０００１】
本発明は、昇降路の窓ガラスの清掃のための装置に係り、特にエレベータかごから昇降路の窓ガラスを清掃することが可能なエレベータ装置に関する。
【背景技術】
【０００２】
従来、エレベータかごの昇降時にかご内から外の風景を見えるようにするために、エレベータかごの昇降路に窓ガラスを設けることがある。この窓ガラスを清掃するために、従来、エレベータかごの上に足場を組み立てて、その上で清掃員が窓ガラスを拭いていた（特許文献１参照）。
【０００３】
しかし、これでは、昇降路窓ガラスを清掃する度毎に、エレベータかごの上に足場を組む必要があり、危険を伴い。また清掃作業に多くの時間が必要であった。
【特許文献１】特開平１１−３４９２６３号公報
【発明の開示】
【発明が解決しようとする課題】
【０００４】
本発明は上述のようなエレベータ装置の問題点に鑑みてなされたもので、安全でしかも比較的短時間に昇降路窓ガラスを清掃可能なエレベータ装置を提供することを目的とする。
【課題を解決するための手段】
【０００５】
本発明の請求項１によれば、エレベータかごと、前記エレベータかごの出入り口に対して背面又は側面の下部に、下端が固定され上端が外側に回動可能で、前記エレベータかごの背面に設けられ昇降路窓ガラスを清掃する際、足場となる清掃足場板と、この清掃足場板に出入り可能に開閉するパネルと、を設けて成ることを特徴とするエレベータ装置を提供する。
【０００６】
本発明の請求項３によれば、エレベータかごと、このエレベータかごの出入り口に対して背面に設けられた窓ガラスと、前記エレベータかごの出入り口に対して背面下部に、下端が固定され上端が外側に回動可能で、前記エレベータかごの背面に設けられ昇降路窓ガラスを清掃する際足場となる清掃足場板と、前記窓ガラスが設けられていない部分に前記清掃足場板に出入り可能に設けられ開閉するパネルと、を設けて成ることを特徴とするエレベータ装置を提供する。
【発明の効果】
【０００７】
本発明によれば、安全でしかも比較的短時間に昇降路窓ガラスを清掃できるエレベータ装置が得られる効果がある。
【発明を実施するための最良の形態】
【０００８】
以下、本発明の実施形態について図面を用いて説明する。本発明一実施形態によるエレベータ装置の、斜め方向内側から見たエレベータかご１１の構造を図１に、またこのエレベータかご１１の背面側を外側から見た斜視図を図２に示す。これらの図に示すように、エレベータかご１１の出入り口（図示せず）に対向する背面側には、中央部分の縦方向に設けられた一対の窓ガラス枠１２ａ，１２ｂに挟持された窓ガラス１３が設けられ、エレベータかご１１の昇降時には、この窓ガラス１３からその外側に設けられる後述する昇降路窓ガラスを介して、外の風景を見ることができるようになっている。
【０００９】
窓ガラス１３の両側には、内側又は外側の各々左右片側に開くことが可能な鉄製の背面パネル１４ａ，１４ｂが設けられている。このエレベータかごの背面側の外側下方には、内側に折り畳まれた清掃足場板１５が下部が固定されて設けられている。窓ガラス１３の下部には、清掃足場板１５がエレベータかごの内部から見えないように、目隠し板１６が設けられている。使用されないときには、清掃足場板１５が鍵１７ａ，１７ｂにより窓ガラス枠１２ａ，１２ｂに固定される。
【００１０】
背面パネル１４ａは図１で矢印１８に示すように内側に及び外側に開けることが可能であり、清掃足場板１５は矢印１９ａ，１９ｂに示すように、外側に倒すことが可能である。
【００１１】
清掃足場板１５は内側に３段に折り畳まれており、図３（ａ）（ｂ）に示すように、開くことが可能である。すなわち、清掃員が外側の昇降路窓ガラスを清掃するときには、図１に示す鍵１７ａ，１７ｂを解除し背面パネル１４ａを一旦内側に開いて、矢印３１に示すように清掃足場板１５を外側に開く（図３（ａ））。
【００１２】
次に、清掃員は背面パネル１４ａを外側に開けて、清掃足場板１５に内側に折り畳まれている下側手すり１５ａを矢印３２に示すように外側に倒す。次に、清掃員は、外に倒された清掃足場板１５に出て、下側手すり１５ａに畳まれている上側手すり１５ｂを矢印３３に示すように立てて、この上側手すり１５ｂの上端に設けられている掛け金３４を背面パネル１４ａにかける。
【００１３】
また図示していないが背面パネル１４ｂも外側に開けて、手前側の掛け金をこの背面パネル１４ｂにかけることにより、前面の手すり全体を固定することができると共に、側面については背面パネル１４ａ，１４ｂによって、清掃時の清掃員を保護することが可能となる。
【００１４】
このように掛け金３４を止めてから、清掃員４０は図４に示すように、清掃用具４１を持って乗降路窓ガラス４２を内側から安全に清掃することができる。この場合の背面パネルと上部手すりを固定する手段は掛け金に限られず、両者が固定されるものであれば何であってもよい。
【００１５】
上記実施形態では、清掃足場板には折り畳まれた２枚の手すりが収容され、清掃時にはこれらの手すりが立てられて清掃員を保護する構成となっていた。このように上下２枚の手すりにより手すりを構成すると、手すりを高くすることが用意であり、清掃時の安全性の程度を高くすることができる利点がある。しかし、本発明では、１枚の手すりが清掃足場板に収容されるように構成することも可能である。
【００１６】
このように上記本発明の実施形態によれば、清掃のための施設をエレベータかごの外側に設けておくだけで、いつでも清掃を容易にしかも安全に行うことが可能となる。この施設はエレベータかごの中に設けられず、エレベータかごの外側に設置されるので、清掃者がつまずくようなこともなくこの点からも安全である。
【００１７】
ところで、上記実施形態では、エレベータかごの出入り口に対向する背面側の外側に清掃足場を設けていた。通常、昇降路窓ガラスは背面側に向いているので、短い清掃用具により清掃することが可能である。しかし、本発明では、背面側に限られず側面側に清掃用の足場板を設けることも可能である。この実施形態の構成を図５に示す。
【００１８】
この実施形態では、清掃足場板５１は上記実施形態の場合と同様に下部が固定され、下部手すり５２ａ，５２ｂが収容されるが、掛け金は設けられておらず、清掃員５３の清掃時には、別途、側面手すり５４が設置される。
【００１９】
この実施形態によれば、エレベータかごの側面から昇降路窓ガラスの清掃が可能となる利点がある。
【図面の簡単な説明】
【００２０】
【図１】本発明一実施形態においてエレベータかご内からその構造を説明するための図。
【図２】本発明一実施形態においてエレベータかご外からその構造を説明するための図。
【図３】本発明一実施形態において清掃時における清掃足場板を広げたときの構造を説明するための図。
【図４】本発明一実施形態において、清掃時の状態を説明するための図。
【図５】本発明の他の実施形態の清掃時の状態を説明するための図。
【符号の説明】
【００２１】
１１・・・エレベータかご、
１２ａ，１２ｂ・・・窓ガラス枠、
１３・・・窓ガラス、
１４ａ，１４ｂ・・・背面パネル、
１５，５１・・・清掃足場板、
１５ａ，５２ａ・・・下側手すり、
１５ｂ，５２ｂ・・・上側手すり、
１６・・・目隠し板、
１７ａ，１７ｂ・・・鍵、
３４・・・掛け金、
４０，５３・・・清掃員、
４１・・・清掃用具、
４２・・・昇降路窓ガラス、
５４・・・側面手すり。
【図１】
2006282350.tif 000003
【図２】
2006282350.tif 000004
【図３】
2006282350.tif 000005
【図４】
2006282350.tif 000006
【図５】
2006282350.tif 000007